(57)【要約】      （修正有）【課題】第１層と第２層とを重ね合わせて基板上に形成する際のオーバーレイ誤差を低減するのに有利なリソグラフィ方法を提供する。【解決手段】第１サイズの複数の第１ショット領域の配列を有する第１層を走査露光によって形成する第１処理と、少なくとも２つの前記第１ショット領域を含む第２サイズの複数の第２ショット領域の配列を有する第２層を形成する第２処理とにより前記第１層と前記第２層とを重ね合わせるリソグラフィ方法で、前記第１ショット領域の配列を示す第１レイアウト情報と、前記第２ショット領域の配列を示す第２レイアウト情報に基づいて当該第１ショット領域を走査露光する際の走査方向を決定するとともに、前記第２ショット領域に含まれる少なくとも２つの第１ショット領域の前記走査方向の組み合わせが同じになるように、前記走査方向を決定する。【選択図】図１
2017219833.tif 000002
【特許請求の範囲】
【請求項１】
第１サイズを有する複数の第１ショット領域の配列を有する第１層を走査露光を含む工程によって形成する第１処理と、少なくとも２つの前記第１ショット領域を含むサイズに対応する第２サイズを有する複数の第２ショット領域の配列を有する第２層を形成する第２処理とにより、前記第１層と前記第２層とを重ね合わせて基板上に形成するリソグラフィ方法であって、
前記第１ショット領域の配列を示す第１レイアウト情報と、前記第２ショット領域の配列を示す第２レイアウト情報とを取得する第１工程と、
前記第１レイアウト情報及び前記第２レイアウト情報に基づいて、前記第１ショット領域のそれぞれについて、前記第１処理において当該第１ショット領域を走査露光する際の走査方向を決定する第２工程と、を有し、
前記第２工程では、前記第１処理における前記第２ショット領域に含まれる少なくとも２つの前記第１ショット領域のそれぞれと前記走査方向との組み合わせが、前記第２ショット領域のうちの少なくとも一部において同じになるように、前記走査方向を決定することを特徴とするリソグラフィ方法。
【請求項２】
前記第２工程では、前記第１処理における前記組み合わせが、前記第２ショット領域の全てにおいて同じになるように、前記走査方向を決定することを特徴とする請求項１に記載のリソグラフィ方法。
【請求項３】
前記第１層を形成するためのレシピに含まれる前記第１ショット領域のそれぞれを走査露光する際の走査方向を、前記第２工程で決定された前記走査方向に変更する工程を更に有することを特徴とする請求項１又は２に記載のリソグラフィ方法。
【請求項４】
前記第１ショット領域のそれぞれを走査露光する際の走査方向が前記第２工程で決定された前記走査方向となるように、前記第１層を形成するためのレシピに含まれる前記第１ショット領域を走査露光する露光順番を変更する工程を更に有することを特徴とする請求項１又は２に記載のリソグラフィ方法。
【請求項５】
前記第１ショット領域のそれぞれを走査露光する際の走査方向が前記第２工程で決定された前記走査方向となるように、前記第１層を形成するためのレシピに含まれる前記第１ショット領域の間の前記基板の移動経路を変更する工程を更に有することを特徴とする請求項１又は２に記載のリソグラフィ方法。
【請求項６】
前記第１ショット領域を走査露光する際の走査方向に依存する露光誤差を補正するための補正テーブルを、前記第１ショット領域のそれぞれについて、前記第２工程で決定された前記走査方向に応じて選択する工程を更に有し、
前記第１処理では、前記工程で選択された補正テーブルを用いて前記第１ショット領域を走査露光することを特徴とする請求項１乃至５のうちいずれか１項に記載のリソグラフィ方法。
【請求項７】
前記補正テーブルを選択する工程では、前記第２工程で決定された前記走査方向に加えて、前記第２ショット領域に含まれている前記第１ショット領域の数に応じて、前記補正テーブルを選択することを特徴とする請求項６に記載のリソグラフィ方法。
【請求項８】
前記第１処理と前記第２処理とでは、異なるリソグラフィ装置を用いることを特徴とする請求項１乃至７のうちいずれか１項に記載のリソグラフィ方法。
【請求項９】
前記第２処理では、基板上のインプリント材にモールドを接触させてパターンを形成するインプリント装置により前記第２層を形成することを特徴とする請求項８に記載のリソグラフィ方法。
【請求項１０】
第１サイズを有する複数の第１ショット領域の配列を有する第１層を走査露光を含む工程によって形成する第１処理と、少なくとも２つの前記第１ショット領域を含むサイズに対応する第２サイズを有する複数の第２ショット領域の配列を有する第２層を形成する第２処理とにより、前記第１層と前記第２層とを重ね合わせて基板上に形成する際の前記第１ショット領域のそれぞれを走査露光する際の走査方向を決定する決定方法であって、
前記第１ショット領域の配列を示す第１レイアウト情報と、前記第２ショット領域の配列を示す第２レイアウト情報とを取得する第１工程と、
前記第１レイアウト情報及び前記第２レイアウト情報に基づいて、前記第１ショット領域のそれぞれについて、前記第１処理において当該第１ショット領域を走査露光する際の走査方向を決定する第２工程と、を有し、
前記第２工程では、前記第１処理における前記第２ショット領域に含まれる少なくとも２つの前記第１ショット領域のそれぞれと前記走査方向との組み合わせが、前記第２ショット領域のうちの少なくとも一部において同じになるように、前記走査方向を決定することを特徴とする決定方法。
【請求項１１】
請求項１０に記載の決定方法を実行することを特徴とする情報処理装置。
【請求項１２】
請求項１０に記載の決定方法を情報処理装置に実行させるためのプログラム。
【請求項１３】
請求項１乃至９のうちいずれか１項に記載のリソグラフィ方法を用いてパターンを基板に形成する工程と、
前記工程で前記パターンが形成された前記基板を処理する工程と、
を有することを特徴とする物品の製造方法。
【発明の詳細な説明】
【技術分野】
【０００１】
本発明は、リソグラフィ方法、決定方法、情報処理装置、プログラム及び物品の製造方法に関する。
【背景技術】
【０００２】
異なるリソグラフィ装置の間のオーバーレイ精度（Ｍｉｘ＆Ｍａｔｃｈ）に関する技術が提案されている（特許文献１及び２参照）。特許文献１には、露光装置の種別、即ち、スキャナーやステッパーに応じて、その特性（結像特性の補正容易性）を加味することで、オーバーレイ精度を向上させる露光方法が開示されている。かかる露光方法では、複数の露光装置を用いて基板上に複数の層（パターン）を重ね合わせて形成する際に、複数の露光装置のうち、任意の層を形成する露光装置の結像特性を、他の層を形成する露光装置の像歪み補正特性を考慮して調整している。
【０００３】
また、特許文献２には、下地パターンには、ショット領域の形状を制御しにくいインプリント装置を用い、その上に重ね合わせるパターンには、露光装置を用いることで、ショット領域間のディストーションを低減する方法が開示されている。
【先行技術文献】
【特許文献】
【０００４】
【特許文献１】国際公開第９９／３６９４９号
【特許文献２】特開２００９−２１２４７１号公報
【発明の概要】
【発明が解決しようとする課題】
【０００５】
近年、半導体デバイスにおいては、２次元的な微細化だけではなく、３次元積層構造化によって、メモリの大容量化や小型化などの実現を図る多様な技術が開発されている。このような技術の進化によって、半導体デバイスの製造に用いられるリソグラフィ装置の種類も多様化している。また、半導体デバイスの３次元積層構造化によって、積層数が増加するため、各層における下地パターンとのオーバーレイ精度にも高精度化が要求される傾向にある。例えば、ステッパーやスキャナーとの間のオーバーレイ精度、通常の画角（小画角）の露光装置と大画角の露光装置との間のオーバーレイ精度、インプリント装置と露光装置との間のオーバーレイ精度などにおいて、より高精度化が求められている。
【０００６】
特に、通常の画角の露光装置と大画角のインプリント装置との間においては、モールドが押印される大画角のショット領域（インプリント領域）に含まれる通常の画角のショット領域（露光領域）の傾向が、一般的に、大画角ごとに異なることになる。例えば、大画角のショット領域に含まれる通常の画角のショット領域のそれぞれと走査方向との組み合わせが、一定でない可能性が高い。従って、これらの装置の間では、ショット領域のマッチングの制御が困難であり、確定的なオーバーレイ誤差の要因となる。
【０００７】
本発明は、このような従来技術の課題に鑑みてなされ、第１層と第２層とを重ね合わせて基板上に形成する際のオーバーレイ誤差を低減するのに有利なリソグラフィ方法を提供することを例示的目的とする。
【課題を解決するための手段】
【０００８】
上記目的を達成するために、本発明の一側面としてのリソグラフィ方法は、第１サイズを有する複数の第１ショット領域の配列を有する第１層を走査露光を含む工程によって形成する第１処理と、少なくとも２つの前記第１ショット領域を含むサイズに対応する第２サイズを有する複数の第２ショット領域の配列を有する第２層を形成する第２処理とにより、前記第１層と前記第２層とを重ね合わせて基板上に形成するリソグラフィ方法であって、前記第１ショット領域の配列を示す第１レイアウト情報と、前記第２ショット領域の配列を示す第２レイアウト情報とを取得する第１工程と、前記第１レイアウト情報及び前記第２レイアウト情報に基づいて、前記第１ショット領域のそれぞれについて、前記第１処理において当該第１ショット領域を走査露光する際の走査方向を決定する第２工程と、を有し、前記第２工程では、前記第１処理における前記第２ショット領域に含まれる少なくとも２つの前記第１ショット領域のそれぞれと前記走査方向との組み合わせが、前記第２ショット領域のうちの少なくとも一部において同じになるように、前記走査方向を決定することを特徴とする。
【０００９】
本発明の更なる目的又はその他の側面は、以下、添付図面を参照して説明される好ましい実施形態によって明らかにされるであろう。
【発明の効果】
【００１０】
本発明によれば、例えば、第１層と第２層とを重ね合わせて基板上に形成する際のオーバーレイ誤差を低減するのに有利なリソグラフィ方法を提供することができる。
【図面の簡単な説明】
【００１１】
【図１】本発明の一側面としてのリソグラフィ方法を説明するためのフローチャートである。
【図２】第１ショット領域の配列の一例及び第２ショット領域の配列の一例を示す図である。
【図３】従来技術において第１層と第２層とを重ね合わせた場合を説明するための図である。
【図４】本実施形態において第１層と第２層とを重ね合わせた場合を説明するための図である。
【図５】第１ショット領域の配列の一例及び第２ショット領域の配列の一例を示す図である。
【図６】従来技術において第１層と第２層とを重ね合わせた場合を説明するための図である。
【図７】本実施形態において第１層と第２層とを重ね合わせた場合を説明するための図である。
【図８】第２ショット領域に含まれる４つの第１ショット領域のそれぞれの走査方向に依存する露光誤差の一例を示す図である。
【図９】図８に示す露光誤差を補正するための補正テーブルの一例を示す図である。
【図１０】第２ショット領域に含まれる第１ショット領域の数を説明するための図である。
【図１１】第２ショット領域に含まれる第１ショット領域の数を説明するための図である。
【発明を実施するための形態】
【００１２】
以下、添付図面を参照して、本発明の好適な実施の形態について説明する。なお、各図において、同一の部材については同一の参照番号を付し、重複する説明は省略する。
【００１３】
図１は、本発明の一側面としてのリソグラフィ方法を説明するためのフローチャートである。かかるリソグラフィ方法では、第１層（例えば、第Ｎ層）を走査露光を含む工程によって形成する第１処理と、第２層（例えば、第（Ｎ＋１）層又は第（Ｎ−１）層）を形成する第２処理とにより、第１層と第２層とを重ね合わせて基板上に形成する。第１層は、第１サイズを有する複数の第１ショット領域の配列を有し、第２層は、少なくとも２つの第１ショット領域を含むサイズに対応する第２サイズを有する複数の第２ショット領域の配列を有する。また、第１処理と第２処理とでは、異なるリソグラフィ装置（種別などが違うリソグラフィ装置）が用いられる。本実施形態では、第１処理には、マスク（レチクル）と基板とを走査方向に走査しながら基板を露光（走査露光）する走査型の露光装置（所謂、スキャナーと呼ばれる露光装置など）を用いる。また、第２処理には、基板上のインプリント材にモールド（型）を接触させてパターンを形成するインプリント装置を用いる。従って、露光装置は、小画角（第１サイズの第１ショット領域）のリソグラフィ装置として用いられ、インプリント装置は、大画角（第２サイズの第２ショット領域）のリソグラフィ装置として用いられる。
【００１４】
Ｓ１０２では、露光装置によって形成される第１層における第１ショット領域の配列を示す第１レイアウト情報を取得する。露光装置（の記憶部）には、第１層を形成するためのレシピが記憶されている。かかるレシピには、一般的に、基板（ショット領域のそれぞれ）を走査露光する際の露光条件に加えて、ショット領域の配列を示すレイアウト情報も含まれている。従って、露光装置に記憶されたレシピを参照することで、第１レイアウト情報を取得することができる。ここで、露光条件は、例えば、ショット領域を走査露光する際の走査方向や走査速度、各ショット領域の露光順番、露光量、ショット領域の間の基板の移動経路などを含む。
【００１５】
Ｓ１０４では、インプリント装置によって形成される第２層における第２ショット領域の配列を示す第２レイアウト情報を取得する。インプリント装置（の記憶部）には、第２層を形成するためのレシピが記憶されている。かかるレシピには、一般的に、基板にインプリント処理を行う際のインプリント条件に加えて、ショット領域の配列を示すレイアウト情報も含まれている。従って、インプリント装置に記憶されたレシピを参照することで、第２レイアウト情報を取得することができる。ここで、インプリント条件とは、基板に形成すべきインプリント材の残膜厚、モールドへのインプリント材の充填時間、モールドの押印力などを含む。なお、残膜厚とは、硬化したインプリント材で形成されるパターンの凹部の表面（底面）と、基板の表面との間のインプリント材の厚さである。
【００１６】
Ｓ１０６では、第１ショット領域と第２ショット領域との重なりの条件が均一であるかどうか、即ち、第１処理における第２ショット領域に含まれる少なくとも２つの第１ショット領域のそれぞれと走査方向との組み合わせが一定であるかどうかを判定する。ここで、少なくとも２つの第１ショット領域のそれぞれと走査方向との組み合わせが一定であるとは、その組み合わせが第２ショット領域のうちの少なくとも一部において（所定の数以上）同じであることを意味する。第１ショット領域と第２ショット領域との重なりの条件が均一でない場合には、Ｓ１０８に移行する。一方、第１ショット領域と第２ショット領域との重なりの条件が均一である場合には、Ｓ１１２に移行する。
【００１７】
Ｓ１０８では、第１ショット領域と第２ショット領域との重なりの条件が均一となるように、第１ショット領域のそれぞれについて、第１処理において第１ショット領域を走査露光する際の走査方向を決定する。ここでは、Ｓ１０２及びＳ１０４のそれぞれで取得した第１レイアウト情報及び第２レイアウト情報に基づいて、第１処理において第２ショット領域に含まれる少なくとも２つの第１ショット領域を特定する。そして、第２ショット領域に含まれる少なくとも２つの第１ショット領域のそれぞれと走査方向との組み合わせが、第２ショット領域のうちの少なくとも一部において同じになるように、第１ショット領域のそれぞれの走査方向を決定する。この際、かかる組み合わせが、第２ショット領域の全てにおいて同じになるようにするとよい。
【００１８】
Ｓ１１０では、Ｓ１０８で決定された走査方向に基づいて、第１層を形成するためのレシピ、即ち、露光装置に記憶されているレシピを変更（更新）する。例えば、露光装置に記憶されているレシピに含まれる第１ショット領域のそれぞれを走査露光する際の走査方向を、決定された走査方向に変更する。また、第１ショット領域のそれぞれを走査露光する際の走査方向が決定された走査方向となるように、露光装置に記憶されているレシピに含まれる第１ショット領域を走査露光する露光順番を変更してもよい。更には、第１ショット領域のそれぞれを走査露光する際の走査方向が決定された走査方向となるように、露光装置に記憶されているレシピに含まれる第１ショット領域の間の基板の移動経路を変更してもよい。
【００１９】
Ｓ１１２では、第１処理と第２処理とにより、第１層と第２層とを重ね合わせて基板上に形成する。上述したように、第１処理では、露光装置が記憶しているレシピに従って基板を走査露光することで第１層を形成し、第２処理では、インプリント装置が記憶しているレシピに従ってインプリント処理を行うことで第２層を形成する。
【００２０】
本実施形態では、第２ショット領域に含まれる少なくとも２つの第１ショット領域のそれぞれと走査方向との組み合わせが、第２ショット領域のうちの少なくとも一部において同じになるように、第１処理が行われる。これにより、第２処理において第２ショット領域にインプリント処理を行う際に、少なくとも２つの第１ショット領域と第２ショット領域とのマッチングの制御が容易となる（マッチングをより精度よく制御することが可能となる）。従って、第１層と第２層とを重ね合わせ基板上に形成する際のオーバーレイ誤差（即ち、異なるリソグラフィ装置の間のオーバーレイ誤差）を低減するのに有利である。
【００２１】
以下、本実施形態のリソグラフィ方法について具体例を説明する。
【００２２】
＜実施例１＞
図２（ａ）は、第１層における複数の第１ショット領域ＳＲ１の配列の一例を示す図である。図２（ａ）には、第１ショット領域ＳＲ１のそれぞれを走査露光する際の走査方向が矢印で示されている。図２（ｂ）は、第２層における複数の第２ショット領域ＳＲ２の配列の一例を示す図である。図２（ａ）及び図２（ｂ）を参照するに、第１ショット領域ＳＲ１のサイズと第２ショット領域ＳＲ２のサイズとは異なり、ここでは、第２ショット領域ＳＲ２は、４つの第１ショット領域ＳＲ１を含むサイズに対応するサイズを有する。
【００２３】
図３（ａ）は、第１ショット領域ＳＲ１の配列を示す第１レイアウト情報及び第２ショット領域ＳＲ２の配列を示す第２レイアウト情報を考慮せずに、即ち、従来技術において第１層（図２（ａ））と第２層（図２（ｂ））とを重ね合わせた状態を示す図である。この場合、第２ショット領域ＳＲ２に含まれる４つの第１ショット領域ＳＲ１のそれぞれと走査方向との組み合わせにおいて、図３（ｂ）及び図３（ｃ）に示すように、異なる組み合わせが含まれていることがわかる。
【００２４】
図４（ａ）は、本実施形態において第１層（図２（ａ））と第２層（図２（ｂ））とを重ね合わせた状態を示す図である。本実施形態では、上述したように、第１レイアウト情報及び第２レイアウト情報に基づいて、第１ショット領域ＳＲ１のそれぞれを走査露光する際の走査方向が決定されている。従って、図４（ｂ）及び図４（ｃ）に示すように、第２ショット領域ＳＲ２に含まれる４つの第１ショット領域ＳＲ１のそれぞれと走査方向との組み合わせが同一になっている。
【００２５】
このように、本実施形態では、第１ショット領域ＳＲ１と第２ショット領域ＳＲ２との重なり（第１レイアウト情報及び第２レイアウト情報）を予め取得して、第１ショット領域ＳＲ１のそれぞれを走査露光する際の走査方向を決定している。従って、第１ショット領域ＳＲ１のそれぞれと走査方向との組み合わせが第２ショット領域ＳＲ２の全てについて同じになるようにすることができる。
【００２６】
＜実施例２＞
図５（ａ）は、第１層における複数の第１ショット領域ＳＲ１の配列の一例を示す図である。図５（ａ）には、第１ショット領域ＳＲ１のそれぞれを走査露光する際の走査方向が矢印で示されている。図５（ｂ）は、第２層における複数の第２ショット領域ＳＲ２の配列の一例を示す図である。図５（ａ）及び図５（ｂ）を参照するに、第１ショット領域ＳＲ１のサイズと第２ショット領域ＳＲ２のサイズとは異なり、ここでは、第２ショット領域ＳＲ２は、２つの第１ショット領域ＳＲ１を含むサイズに対応するサイズを有する。
【００２７】
図６（ｂ）は、図６（ａ）に示す露光順番で第１ショット領域ＳＲ１を走査露光した場合において、第１層（図５（ａ））と第２層（図５（ｂ））とを重ね合わせた状態を示す図である。基板の各ショット領域を走査露光する際には、通常、図６（ａ）に示すように、基板の端のショット領域からスネーク状に露光順番が設定される。この場合、第２ショット領域ＳＲ２に含まれる２つの第１ショット領域ＳＲ１のそれぞれと走査方向との組み合わせにおいて、図６（ｃ）及び図６（ｄ）に示すように、異なる組み合わせが含まれていることがわかる。
【００２８】
図７（ｂ）は、図７（ａ）に示す露光順番で第１ショット領域ＳＲ１を走査露光した場合において、第１層（図５（ａ））と第２層（図５（ｂ））とを重ね合わせた状態を示す図である。本実施形態では、上述したように、第１レイアウト情報及び第２レイアウト情報に基づいて、第１ショット領域ＳＲ１のそれぞれを走査露光する際の走査方向が決定されている。そして、第１ショット領域ＳＲ１のそれぞれを走査露光する際の走査方向が決定された走査方向となるように、第１ショット領域ＳＲ１を走査露光する露光順番を変更する。具体的には、図７（ａ）に示すように、図６（ａ）に示す露光順番から、図７（ａ）に点線で示す第１ショット領域ＳＲ１の露光順番を変更する。これにより、図７（ｃ）及び図７（ｄ）に示すように、第２ショット領域ＳＲ２に含まれる４つの第１ショット領域ＳＲ１のそれぞれと走査方向との組み合わせが同一になる。
【００２９】
このように、本実施形態では、第１ショット領域ＳＲ１と第２ショット領域ＳＲ２との重なり（第１レイアウト情報及び第２レイアウト情報）を予め取得して、第１ショット領域ＳＲ１のそれぞれを走査露光する際の走査方向を決定する。そして、第１ショット領域ＳＲ１のそれぞれを走査露光する際の走査方向が決定した走査方向となるように、第１ショット領域ＳＲ１の露光順番を変更している。従って、第１ショット領域ＳＲ１のそれぞれと走査方向との組み合わせが第２ショット領域ＳＲ２の全てについて同じになるようにすることができる。
【００３０】
＜実施例３＞
第１処理において第１ショット領域ＳＲ１を走査露光する際には、ショット領域の走査方向に依存する露光誤差を補正する補正テーブル（ＲＳＰ）を、本実施形態で決定された走査方向に応じて選択するとよい。そして、第１処理では、選択された補正テーブルを用いて第１ショット領域ＳＲ１を走査露光する。
【００３１】
図８は、第２ショット領域ＳＲ１に含まれる４つの第１ショット領域ＳＲ１ａ、ＳＲ１ｂ、ＳＲ１ｃ及びＳＲ１ｄのそれぞれの走査方向に依存する露光誤差の一例を示す図である。この場合、第１ショット領域ＳＲ１ａを走査露光する際には、図９に示す補正テーブルＣＴａを選択し、第１処理では、補正テーブルＣＴａを用いて第１ショット領域ＳＲ１ａを走査露光する。また、第１ショット領域ＳＲ１ｂを走査露光する際には、図９に示す補正テーブルＣＴｂを選択し、第１処理では、補正テーブルＣＴｂを用いて第１ショット領域ＳＲ１ｂを走査露光する。同様に、第１ショット領域ＳＲ１ｃ及びＳＲ１ｄのそれぞれを走査露光する際には、図９に示す補正テーブルＣＴｃ及びＣＴｄを選択し、第１処理では、補正テーブルＣＴｃ及びＣＴｄを用いて第１ショット領域ＳＲ１ｃ及びＳＲ１ｄのそれぞれを走査露光する。
【００３２】
このように、第１ショット領域ＳＲ１ａ乃至ＳＲ１ｄのそれぞれについて、本実施形態で決定された走査方向に応じて、第１処理で用いる補正テーブルＣＴａ乃至ＣＴｄを変更することで、走査方向に依存する露光誤差を補正することができる。
【００３３】
＜実施例４＞
ショットレイアウトにおいては、図１０に示すように、第２ショット領域ＳＲ２の位置によって、第２ショット領域ＳＲ２に含まれる第１ショット領域ＳＲ１の数が異なる場合がある。例えば、基板の中央部の第２ショット領域ＳＲ２ａには４つの第１ショット領域ＳＲ１が含まれているが、基板の周辺部の第２ショット領域ＳＲ２ｂには２つの第１ショット領域ＳＲ１しか含まれていない。また、基板の周辺部の第２ショット領域ＳＲ２ｃには１つの第１ショット領域ＳＲ１しか含まれていない。第２ショット領域ＳＲ２ｂ及びＳＲ２ｃ（パーシャルショット領域）にインプリント処理を行う場合には、第２ショット領域ＳＲ２ａ（コンプリートショット領域）にインプリント処理を行う場合と異なり、特有の歪みが発生する。このような特有の歪みに対応するために、第１ショット領域ＳＲ１のそれぞれを走査露光する際には、本実施形態で決定された走査方向に加えて、第２ショット領域ＳＲ２に含まれている第１ショット領域ＳＲ１の数に応じて、補正テーブルを選択するとよい。換言すれば、第１ショット領域ＳＲ１を走査露光する際の走査方向が同じであっても、第２ショット領域ＳＲ２に含まれている第１ショット領域ＳＲ１の数に応じて、第２処理で用いる補正テーブルを変更するとよい。これにより、第１ショット領域ＳＲ１を走査露光する際の走査方向に依存する露光誤差をより高精度に補正することができる。
【００３４】
＜実施例５＞
また、ショットレイアウトにおいては、図１１（ａ）及び図１１（ｂ）に示すように、第２ショット領域ＳＲ２の位置によって、第２ショット領域ＳＲ２に含まれる第１ショット領域ＳＲ１の数が異なる場合がある。例えば、基板の周辺部の第２ショット領域ＳＲ２ｄ（パーシャルショット領域）には、図１１（ｂ）に示すように、１乃至３つの第１ショット領域ＳＲ１しか含まれていない。通常は、図１１（ａ）に示すように、第２ショット領域ＳＲ２ｄに対しても、第２ショット領域ＳＲ２ａと同様のショットレイアウト（図１０参照）となるように、走査方向を合わせて走査露光を行う。但し、第２ショット領域ＳＲ２ｄについては、第２サイズの第２ショット領域ＳＲ２にインプリント処理を行う際の特性を考慮して、他のショット領域と走査方向を変えることも可能である。例えば、第２ショット領域ＳＲ２ｄにおけるインプリント材へのモールドの押印では、インプリント材のはみ出しを考慮して、他のショット領域と異なる力のかけ方や、異なる硬化のさせ方を行う場合がある。従って、図１１（ｂ）に示すように、特定のショット領域、即ち、第２ショット領域ＳＲ２ｄでは、あえて走査方向を、他のショット領域と変えて走査露光を行ってもよい。
【００３５】
本発明の実施形態における物品の製造方法は、例えば、半導体デバイスや液晶表示素子などの物品を製造するのに好適である。かかる製造方法は、上述したリソグラフィ方法を用いて、パターンを基板に形成する工程と、パターンが形成された基板を処理（加工）する工程とを含む。また、上記形成工程につづけて、かかる製造方法は、他の周知の工程（酸化、成膜、蒸着、ドーピング、平坦化、エッチング、レジスト剥離、ダイシング、ボンディング、パッケージングなど）を含みうる。本実施形態における物品の製造方法は、従来に比べて、物品の性能、品質、生産性及び生産コストの少なくとも１つにおいて有利である。
【００３６】
本発明は、上述の実施形態の１つ以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１つ以上の機能を実現する回路（例えば、ＡＳＩＣ）によっても実現可能である。
【００３７】
以上、本発明の好ましい実施形態について説明したが、本発明はこれらの実施形態に限定されないことはいうまでもなく、その要旨の範囲内で種々の変形及び変更が可能である。例えば、第１層と第２層とを重ね合わせて基板上に形成する際の第１ショット領域のそれぞれを走査露光する際の走査方向を決定する決定方法やかかる決定方向を実行する情報処理装置も本発明の一側面を構成する。
【符号の説明】
【００３８】
ＳＲ１：第１ショット領域    ＳＲ２：第２ショット領域
【図１】
2017219833.tif 000003
【図２】
2017219833.tif 000004
【図３】
2017219833.tif 000005
【図４】
2017219833.tif 000006
【図５】
2017219833.tif 000007
【図６】
2017219833.tif 000008
【図７】
2017219833.tif 000009
【図８】
2017219833.tif 000010
【図９】
2017219833.tif 000011
【図１０】
2017219833.tif 000012
【図１１】
2017219833.tif 000013